(57)【要約】【課題】良好なセキュリティ機能を実現できるテレビドアホン装置、およびこのテレビドアホン装置を使用したドアホンシステムおよび地域監視システムを提供する。【解決手段】タグ情報判定部２１は、検索部２２の検索結果に基づいて、所定のタグ情報がタグ情報格納テーブル１２ｄに登録されているか否かを判定する。応対処理部２６は、タグ情報判定部２１の判定結果に基づき、訪問者に応じた応答メッセージを訪問者に対して再生する。電子錠開閉処理部２７は、タグ情報判定部２１の判定結果に基づき、訪問者に応じてドアに設けられた電子錠の開閉処理を実行する。これにより、テレビドアホン装置１の機能を高度化させることができる。そのため、テレビドアホン装置１のセキュリティ機能を強化するとともに、テレビドアホン装置１の使用者の利便性を高めることができる。【選択図】図２
2011223629.tif 000002
【特許請求の範囲】
【請求項１】
(a)  各々がネットワークに接続されており、
(a-1)  家屋の外部に設けられ、訪問者に関する情報を含めた前記家屋外の屋外情報を取得可能な玄関子機と、
(a-2)  前記玄関子機との間でデータ通信可能とされた中継親機と、
を有する複数のテレビドアホン装置と、
(b)  各テレビドアホン装置とネットワークを介して接続されており、前記訪問者が所持して前記家屋の住人に受け渡す受渡対象物の受渡状況を管理する情報管理サーバと、
を備え、
前記玄関子機は、
前記受渡対象物のタグ情報送信部から送信されたタグ情報を受信可能なタグ情報受信部、
を有し、
前記中継親機は、
タグ情報を検索可能に格納するタグ情報格納テーブルを記憶可能な記憶部と、
前記玄関子機が取得した屋外情報のうちのタグ情報につき、該タグ情報が前記タグ情報格納テーブルに登録されているか否かを判定するタグ情報判定部と、
前記タグ情報判定部の判定結果に基づき、前記受渡対象物の受渡状況に応じた応答処理を実行する応答処理部と、
を有することを特徴とするテレビドアホンシステム。
【請求項２】
請求項１に記載のテレビドアホンシステムにおいて、
前記応答処理部は、前記タグ情報判定部の判定結果に応じて、前記受渡対象物の受渡状況を報知情報として前記情報管理サーバに報知することを特徴とするテレビドアホンシステム。
【請求項３】
請求項１または請求項２に記載のテレビドアホンシステムにおいて、
前記応答処理部は、前記受渡対象物が前記家屋まで届けられていることを前記家屋の住人に報知することを特徴とするテレビドアホンシステム。
【請求項４】
(a)  情報管理サーバと、
(b)  各々が前記ネットワークを介して前記情報管理サーバと接続されており、
(b-1)  家屋の道路側に設けられ、訪問者に関する情報を含めた前記家屋外の屋外情報を取得可能な玄関子機と、
(b-2)  前記玄関子機との間でデータ通信可能とされており、前記玄関子機が取得した前記屋外情報を位置情報とともに前記情報管理サーバに送信可能な中継親機と、
を有する複数のテレビドアホン装置と、
を備え、
前記玄関子機は、タグ情報所有者のタグ情報送信部から送信されたタグ情報を受信可能なタグ情報受信部、
を有し、
前記情報管理サーバは、
(a-1)  各テレビドアホン装置のそれぞれから屋外情報として送信された前記タグ情報を、送信元の前記テレビドアホン装置の前記位置情報と対応付けて追加格納可能なタグ情報履歴格納テーブル、
を記憶する記憶部、
を有し、
前記情報管理サーバは、前記タグ情報履歴格納テーブルの前記タグ情報に基づいて、前記複数のテレビドアホン装置が設置された地域内における前記タグ情報所有者の状況を監視可能なことを特徴とする地域監視システム。
【発明の詳細な説明】
【技術分野】
【０００１】
本発明は、テレビドアホン装置を使用したシステムに関する。
【背景技術】
【０００２】
従来より、家屋のセキュリティを向上させる技術が知られている（例えば、特許文献１）。特許文献１には、所定のＲＦ−ＩＤ素子が組み込まれた鍵を差し込むことにより、解錠・施錠を可能とするドア・ロック装置が開示されている。
【先行技術文献】
【特許文献】
【０００３】
【特許文献１】特開平０９−３３０２８３号公報
【発明の概要】
【発明が解決しようとする課題】
【０００４】
ここで、家屋の多くにはテレビドアホン装置が設置されており、このテレビドアホン装置によって訪問者を確認したり、訪問者の応対をすることができる。しかしながら、現状のテレビドアホン装置は、セキュリティ機能の上で改善する余地がある。
【０００５】
そこで、本発明では、良好なセキュリティ機能を実現できるテレビドアホン装置を使用したドアホンシステムおよび地域監視システムを提供することを目的とする。
【課題を解決するための手段】
【０００６】
上記の課題を解決するため、本発明に係るテレビドアホンシステムの第１の態様は、各々がネットワークに接続されており、家屋の外部に設けられ、訪問者に関する情報を含めた前記家屋外の屋外情報を取得可能な玄関子機と、前記玄関子機との間でデータ通信可能とされた中継親機とを有する複数のテレビドアホン装置と、各テレビドアホン装置とネットワークを介して接続されており、前記訪問者が所持して前記家屋の住人に受け渡す受渡対象物の受渡状況を管理する情報管理サーバとを備え、前記玄関子機は、前記受渡対象物のタグ情報送信部から送信されたタグ情報を受信可能なタグ情報受信部、を有し、前記中継親機は、タグ情報を検索可能に格納するタグ情報格納テーブルを記憶可能な記憶部と、前記玄関子機が取得した屋外情報のうちのタグ情報につき、該タグ情報が前記タグ情報格納テーブルに登録されているか否かを判定するタグ情報判定部と、前記タグ情報判定部の判定結果に基づき、前記受渡対象物の受渡状況に応じた応答処理を実行する応答処理部とを有することを特徴とする。
【０００７】
また、本発明に係るテレビドアホンシステムの第２の態様は、上記第１の態様であって、前記応答処理部は、前記タグ情報判定部の判定結果に応じて、前記受渡対象物の受渡状況を報知情報として前記情報管理サーバに報知することを特徴とする。
【０００８】
また、本発明に係るテレビドアホンシステムの第３の態様は、上記第１の態様または上記第２の態様であって、前記応答処理部は、前記受渡対象物が前記家屋まで届けられていることを前記家屋の住人に報知することを特徴とする。
【０００９】
また、本発明に係る地域監視システムの態様は、情報管理サーバと、各々が前記ネットワークを介して前記情報管理サーバと接続されており、家屋の道路側に設けられ、訪問者に関する情報を含めた前記家屋外の屋外情報を取得可能な玄関子機と、前記玄関子機との間でデータ通信可能とされており、前記玄関子機が取得した前記屋外情報を位置情報とともに前記情報管理サーバに送信可能な中継親機とを有する複数のテレビドアホン装置とを備え、前記玄関子機は、タグ情報所有者のタグ情報送信部から送信されたタグ情報を受信可能なタグ情報受信部、を有し、前記情報管理サーバは、各テレビドアホン装置のそれぞれから屋外情報として送信された前記タグ情報を、送信元の前記テレビドアホン装置の前記位置情報と対応付けて追加格納可能なタグ情報履歴格納テーブル、を記憶する記憶部、を有し、前記情報管理サーバは、前記タグ情報履歴格納テーブルの前記タグ情報に基づいて、前記複数のテレビドアホン装置が設置された地域内における前記タグ情報所有者の状況を監視可能なことを特徴とする。
【発明の効果】
【００１０】
請求項１に記載の発明によれば、受渡状況に応じた応答処理を家屋の住人によることなく実行することが可能となる。そのため、テレビドアホンシステムの機能を高度化させることができる。
【００１１】
特に、請求項２に記載の発明によれば、情報管理サーバ側では、テレビドアホン装置から報知される報知情報により、受渡対象物の受渡状況を容易に把握することができる。
【００１２】
特に、請求項３に記載の発明によれば、家屋の住人は、訪問者に応対することなく受渡対象物が届けられたことを把握することができる。そのため、テレビドアホン装置の機能をさらに高度化できるとともに、テレビドアホン装置のセキュリティ機能を強化することができる。
【００１３】
さらに、請求項４に記載の発明によれば、タグ情報履歴格納テーブルを検索することにより、地域内におけるタグ情報所有者の状況を容易に取得することができる。
【図面の簡単な説明】
【００１４】
【図１】本発明の実施の形態におけるテレビドアホン装置の全体構成の一例を示す図である。
【図２】第１および第４実施の形態における中継親機のハードウェア構成の一例を示す図である。
【図３】玄関子機のハードウェア構成の一例を示す図である。
【図４】タグ情報格納テーブルのデータ構成の一例を示す図である。
【図５】訪問者履歴格納テーブルのデータ構成の一例を示す図である。
【図６】ハンディ子機のハードウェア構成の一例を示す図である。
【図７】第２の実施の形態における中継親機のハードウェア構成の一例を示す図である。
【図８】第３および第４の実施の形態におけるシステムの全体構成の一例を示す図である。
【図９】第３の実施の形態における中継親機のハードウェア構成の一例を示す図である。
【図１０】第３の実施の形態における情報管理サーバのハードウェア構成の一例を示す図である。
【図１１】第４の実施の形態における情報管理サーバのハードウェア構成の一例を示す図である。
【図１２】タグ情報履歴格納テーブルのデータ構成の一例を示す図である。
【図１３】通知先情報格納テーブルのデータ構成の一例を示す図である。
【図１４】第４の実施の形態の地域監視システムによる監視処理を説明するための図である。
【発明を実施するための形態】
【００１５】
以下、図面を参照しつつ本発明の実施の形態について詳細に説明する。
【００１６】
＜１．第１の実施の形態＞
＜１．１．テレビドアホン装置の構成＞
図１は、テレビドアホン装置１の全体構成の一例を示す図である。テレビドアホン装置１は、家屋３に設けられており、訪問者の呼出操作に応じて家屋３の室内４から屋外にいる訪問者への応対を可能とする（ドアホンモード）。また、テレビドアホン装置１は、訪問者の呼出操作がなされない場合において、屋外を監視する機能も有している（見守りモード）。図１に示すように、テレビドアホン装置１は、主として、玄関子機４０と、中継親機１０と、ハンディ子機８０と、を有している。
【００１７】
図２は、玄関子機４０のハードウェア構成の一例を示す図である。玄関子機４０は、家屋３の外部であって道路５側に設けられており、例えば、家屋３内から道路５への出入り口となる門扉６横の門柱７や、家屋３の周囲を囲繞する塀８に設置されている（図１参照）。
【００１８】
また、玄関子機４０は、中継親機１０からの制御に従って、訪問者に関する情報（例えば、訪問者の映像、訪問者の声等）を含めた道路５外の屋外情報を取得可能とされている。図２に示すように、玄関子機４０は、主として、撮像部４１と、受音部４２と、タグ情報受信部４６と、を有している。
【００１９】
なお、本実施の形態において、屋外情報とは、玄関子機４０で取得された映像（静止画像または動画）、音声データ、およびタグ情報を言うものとする。
【００２０】
撮像部４１は、いわゆるカメラであり、道路５側の映像（静止画像または動画）を撮像可能とされている。ここで、撮像部４１は道路５側の広い範囲の映像を取得できるように、撮像部４１のレンズ（図示書略）には、広角レンズが使用されている。また、受音部４２は、いわゆるマイクロフォンであり、道路５側の音声を受音する。
【００２１】
例えば、訪問者が玄関子機４０の呼出ボタン４８を押した場合、撮像部４１で撮像された訪問者の映像はハンディ子機８０の表示部８７（図６参照）に表示される。また、呼出ボタン４８が押された場合、受音部４２で受音された訪問者の声は、ハンディ子機８０のスピーカ９２（図６参照）から出力される。一方、訪問者に対して応対した家屋３の住人（テレビドアホン装置１の使用者：以下、単に、「使用者」とも呼ぶ）の声は、スピーカ５１から出力される。
【００２２】
タグ情報受信部４６は、例えばタグ情報所有者のタグ情報送信部９ａ（図１参照）から送信されたタグ情報を受信可能とされている。ここで、本実施の形態のタグ情報送信部９ａに格納されているタグ情報は、各送信部９ａで重複しないものとされている。したがって、タグ情報受信部４６によって受信されたタグ情報を判定することにより、タグ情報送信部９ａの所有者（タグ情報所有者）を一意に識別することが可能となる。例えば、訪問者が所有しているタグ情報送信部９ａのタグ情報を判定することにより、訪問者が誰であるかを識別することができる。
【００２３】
また、タグ情報送信部９ａは、タグ情報とともに、訪問者に関する制限情報を送信可能とされている。ここで、制限情報とは、訪問者が訪問可能な回数に関する制限（例えば、１回限り有効、３回まで有効等）や、訪問可能な期間に関する制限（例えば、○月×日から□月△日まで有効）などを言う。
【００２４】
中継親機間通信部５５は、２線の信号線４０ａを介して中継親機１０と電気的に接続されており、中継親機１０との間でデータ通信を実行する。例えば、撮像部４１、受音部４２、およびタグ情報受信部４６によって取得された映像、音声データ、およびタグ情報は、中継親機間通信部５５および信号線４０ａを介して中継親機１０に送信される。
【００２５】
図３は、中継親機１０のハードウェア構成の一例を示す図である。中継親機１０は、（１）屋外情報を取得する機能と、（２）玄関子機４０およびハンディ子機８０を流れるＬＡＮ（Local Area Network）側のデータをネットワーク５００（ＷＡＮ：Wide Area Network）側に中継するルータ機能と、を有している。図３に示すように、中継親機１０は、主として、通信制御部１５と、タグ情報判定部２１と、検索部２２と、応対処理部２６と、電子錠開閉処理部２７と、を有している。
【００２６】
通信制御部１５は、中継親機１０のルータ機能を実現する。すなわち、通信制御部１５は、子機間通信部１６ａと玄関子機４０との間で、無線通信部１６ｂとハンディ子機８０との間で、ネットワーク間通信部１６ｃとネットワーク５００側との間で、それぞれ実行されるデータ通信を制御する。
【００２７】
操作部１８は、ボタン等を有する入力部である。使用者は、この操作部１８を操作することによって、中継親機１０に所定の処理（例えば、中継親機１０のリセット処理等）を実行させることができる。
【００２８】
格納処理部１４は、玄関子機４０から送信される屋外情報をＲＡＭ１２に格納する。ＲＡＭ１２は、読み書き自在の揮発性メモリ（記憶部）である。図３に示すように、ＲＡＭ１２は、主として、静止画像格納部１２ａと、動画格納部１２ｂと、音声データ格納部１２ｃと、を有している。また、ＲＡＭ１２には、タグ情報が登録されたタグ情報格納テーブル１２ｄと、訪問者履歴格納テーブル１２ｅと、が記憶可能とされている。
【００２９】
ここで、静止画像格納部１２ａおよび動画格納部１２ｂには、撮像部４１で撮像された静止画像および動画が格納される。音声データ格納部１２ｃには、受音部４２で受音された音声データが格納される。
【００３０】
また、タグ情報格納テーブル１２ｄには、訪問者に対して予め付与されたタグ情報が、この訪問者の個人情報と対応付けられて登録されている。図４は、タグ情報格納テーブル１２ｄのデータ構成の一例を示す図である。図４に示すように、タグ情報格納テーブル１２ｄは、主として、「タグ情報」、「氏名」、および「住所」の各フィールド（列）を有している。
【００３１】
「タグ情報」には、各訪問者に対して付与されたタグ情報が、数値データとして格納されている。また、各レコード（各行）の「タグ情報」には、重複しない値が格納されている。したがって、タグ情報格納テーブル１２ｄの各レコードは、「タグ情報」によって一意に識別される。「氏名」フィールドには、訪問者の姓名が文字データとして格納されている。また、「住所」には、訪問者の住所または居所が文字データとして格納されている。
【００３２】
さらに、訪問者履歴格納テーブル１２ｅには、家屋３を訪問した訪問者の履歴に関する情報がタグ情報と関連付けて登録されている。図５は、訪問者履歴格納テーブル１２ｅのデータ構成の一例を示す図である。図５に示すように、訪問者履歴格納テーブル１２ｅは、主として、「訪問者履歴ＩＤ」、「タグ情報」、および「訪問日時」の各フィールドを有している。
【００３３】
「訪問者履歴ＩＤ」には、訪問者履歴格納テーブル１２ｅに登録された各レコードを一意に識別するための数値データが格納されている。
【００３４】
また、「タグ情報」には、タグ情報受信部４６によって受信されたタグ情報が格納されている。ただし、訪問者がタグ情報送信部９ａを所有しておらず、タグ情報が受信されない場合、「タグ情報」には「０」が格納される。さらに、「訪問日時」には、訪問者が家屋３を訪問した日時が格納されている。
【００３５】
したがって、タグ情報格納テーブル１２ｄの「タグ情報」のいずれかに格納された値と同一値となるレコードが訪問者履歴格納テーブル１２ｅから抽出されることにより、予めタグ情報が付与された訪問者（以下、単に、「特定訪問者」とも呼ぶ）の履歴に関する情報（例えば、各訪問者の訪問状況）を調べることが可能となる。
【００３６】
一方、タグ情報格納テーブル１２ｄの「タグ情報」の格納された値のいずれとも同一とならないレコードが訪問者履歴格納テーブル１２ｅから抽出されることにより、タグ情報が付与されていない訪問者（例えば、不特定来客者、非予約者、不審人物：以下、単に、「不特定訪問者」とも呼ぶ）に関する情報を調べることが可能となる。
【００３７】
このように、「タグ情報」を検索キーとして訪問者履歴格納テーブル１２ｅを検索することにより、この家屋３の訪問者に関する情報を容易に取得することができる。そのため、テレビドアホン装置１のセキュリティ機能をさらに強化することができる。
【００３８】
検索部２２は、所定のフィールドを検索キーとして、タグ情報格納テーブル１２ｄまたは訪問者履歴格納テーブル１２ｅを検索可能とされている。例えば、検索部２２は、「タグ情報」フィールドを検索キーとすることにより、タグ情報受信部４６によって受信されたタグ情報と同一値のレコードをタグ情報格納テーブル１２ｄから抽出することができる。
【００３９】
タグ情報判定部２１は、検索部２２の検索結果に基づいて、所定のタグ情報がタグ情報格納テーブル１２ｄに登録されているか否かを判定する。例えば、玄関子機４０のタグ情報受信部４６が取得したタグ情報と同一値となるレコードが抽出された場合、タグ情報判定部２１は、タグ情報受信部４６によって受信されたタグ情報がタグ情報格納テーブル１２ｄに登録されていると判断する。また、受信されたタグ情報がタグ情報格納テーブル１２ｄに登録されている場合、タグ情報判定部２１は、訪問者が特定訪問者であると判断する。このように、タグ情報判定部２１は、訪問者の認証を実行する認証部として使用される。そして、応答処理部２０は、特定訪問者に応じた特定者用処理を実行する。
【００４０】
一方、検索部２２によってレコードが抽出されない場合、タグ情報判定部２１は、受信されたタグ情報がタグ情報格納テーブル１２ｄに登録されていないと判断する。また、受信されたタグ情報が登録されていない場合、タグ情報判定部２１は、訪問者が不特定訪問者であると判断する。そして、応答処理部２０は、不特定訪問者に対する不特定者用処理を実行する。
【００４１】
ここで、応答処理部２０は、主として、応対処理部２６と、電子錠開閉処理部２７と、を有している。これら応対処理部２６および電子錠開閉処理部２７は、タグ情報判定部２１の判定結果に応じた応答処理を実行可能とされている。
【００４２】
応対処理部２６は、応対処理（特定者用処理または不特定者用処理）として、訪問者（特定訪問者または不特定訪問者）に応じた応答メッセージを再生する。例えば、応対処理部２６は、特定者用処理として、特定訪問者用の応答メッセージ（現在留守である旨の応答メッセージ）を再生してもよい。
【００４３】
電子錠開閉処理部２７は、ドア３ａにドアノブ３ｂ上方に設けられた電子錠３ｃ（図１参照）の開閉処理を実行する。例えば、電子錠開閉処理部２７は、訪問者が特定訪問者である場合、ドア３ａの電子錠３ｃを開錠してもよい。
【００４４】
このように、応答処理部２０は、訪問者（特定訪問者または不特定訪問者）に応じた応答処理を実行することができる。そのため、テレビドアホン装置１の機能を高度化させることができる。その結果、テレビドアホン装置１のセキュリティ機能を強化するとともに、使用者の利便性を高めることができる。
【００４５】
また、応答処理部２０は、タグ情報判定部２１の判定結果と、タグ情報送信部９ａとともに送信される制限情報と、に基づいて、応答処理を実行してもよい。例えば、訪問者のタグ情報は登録されている判断される場合であっても、制限情報に基づき所定の回数以上訪問してものと判断される場合には、応答処理部２０は、非特定者用の処理を実行することができる。
【００４６】
このように、本実施の形態では、タグ情報の登録状況だけでなく訪問者に関する制限情報をも加味して応答処理を実行することができる。そのため、テレビドアホン装置１のセキュリティ機能をさらに強化することが可能となる。
【００４７】
ＲＯＭ１３は、読出し専用メモリであり、ＣＰＵ１１は、ＲＯＭ１３に格納されたプログラム１３ａに従った制御を実行する。また、ＣＰＵ１１は、図３に示すように、通信制御部１５、タグ情報判定部２１、および検索部２２等と、信号線１９を介して電気的に接続されている。したがって、ＣＰＵ１１は、タグ情報の判定処理等を所定のタイミングで実行することができる。
【００４８】
なお、以上の説明において、タグ情報判定部２１、および検索部２２は、ハードウェア（回路）によって構成されているものとして説明したが、これに限定されるものでない。例えば、ＲＯＭ１３に格納されたプログラム１３ａによって、判定機能および検索機能をＣＰＵ１１に実現させてもよい。
【００４９】
図６は、ハンディ子機８０のハードウェア構成の一例を示す図である。ハンディ子機８０は、使用者が訪問者に対して応対する場合や、屋外の状況をモニタリングする場合に使用される。図６に示すように、ハンディ子機８０は、主として、無線通信部８６と、表示部８７と、操作部８８と、受音部９１と、スピーカ９２と、を有している。
【００５０】
表示部８７は、いわゆる液晶ディスプレイによって構成されており、例えば、撮像部４１、７１によって撮像された屋外の映像や、情報管理サーバ２００から報知された情報（例えば、地域内に不審者が侵入したことを報知する情報）が表示される。
【００５１】
操作部８８は、ボタン８８ａやキーパッド８８ｂ（図１参照）を有する入力部である。使用者は、表示部８７の表示内容に基づいた入力作業を実行することにより、訪問者への応対や屋外のモニタリング等の所定の動作をテレビドアホン装置１に対して実行させることができる。
【００５２】
受音部９１は、いわゆるマイクロフォンであり、例えば、使用者が訪問者に対して声で応対する場合に使用される。なお、屋外の音声（例えば、訪問者の声等）は、スピーカ９２から出力される。
【００５３】
ＲＡＭ８２は、読み書き自在の揮発性メモリ（記憶部）である。また、ＲＯＭ８３は、読出し専用メモリであり、ＣＰＵ８１は、ＲＯＭ８３に格納されたプログラム８３ａに従った制御を実行する。さらに、ＣＰＵ８１は、表示部８７、および無線通信部８６等と、信号線８９を介して電気的に接続される。したがって、ＣＰＵ８１は、表示部８７による表示処理やデータの通信処理等を所定のタイミングで実行することができる。
【００５４】
＜１．２．第１の実施の形態におけるテレビドアホン装置の利点＞
以上のように、第１の実施の形態のテレビドアホン装置１は、訪問者（特定訪問者または不特定訪問者）に応じた応答処理を実行することができる。そのため、テレビドアホン装置の機能を高度化させることができ、その結果、テレビドアホン装置１のセキュリティ機能を強化するとともに、使用者の利便性を高めることができる。
【００５５】
＜２．第２の実施の形態＞
次に、本発明の第２の実施の形態について説明する。第２の実施のテレビドアホン装置１００は、第１の実施の形態のテレビドアホン装置１と比較して、中継親機１１０が生体認証情報判定部１２８を有する点を除いては、第１の実施の形態と同様である。
【００５６】
そこで、以下では、この相違点を中心に説明する。なお、以下の説明において、第１の実施の形態の基板処理システムにおける構成要素と同様な構成要素については同一符号を付している。これら同一符号の構成要素は、第１の実施の形態において説明済みであるため、本実施形態では説明を省略する。
【００５７】
図７は、本実施の形態の中継親機１１０のハードウェア構成の一例を示す図である。中継親機１１０は、第１の実施の形態の中継親機１０と同様に、（１）屋外情報を取得する機能と、（２）玄関子機４０、およびハンディ子機８０を流れるＬＡＮ側のデータをネットワーク５００側に中継するルータ機能と、を有している。
【００５８】
図７に示すように、中継親機１１０は、主として、通信制御部１５と、タグ情報判定部２１と、検索部２２と、応対処理部２６と、電子錠開閉処理部２７と、生体認証情報判定部１２８と、を有している。
【００５９】
生体認証情報判定部１２８は、訪問者の生体認証情報に基づいた判定処理を実行する。ここで、本実施の形態の生体認証では、訪問者の身体情報として、撮像部４１によって撮像された顔画像、および受音部４２によって受音された音声データに基づく声紋等が利用される。
【００６０】
例えば、生体認証情報判定部１２８は、タグ情報送信部９ａに予め保存された第１顔画像（第１生体認証情報）と、玄関子機４０の撮像部４１によって取得された第２顔画像（第２生体認証情報）と、によって判定処理を実行する。
【００６１】
すなわち、タグ情報送信部９ａに予め保存された第１顔画像が、タグ情報とともに、玄関子機４０に送信される。生体認証情報判定部１２８は、第１顔画像と第２顔画像とに対してマッチング処理や差分処理を施すことによって両画像を照合する。そして、両画像が同一であると判断される場合、生体認証情報判定部１２８は、訪問者がタグ情報送信部９ａの所有者であると判断する。
【００６２】
このように、本実施の形態のテレビドアホン装置１００は、タグ情報および生体認証情報による２重のセキュリティチェックを実行することができる。そのため、テレビドアホン装置１００のセキュリティ機能をさらに強化することが可能となる。
【００６３】
＜３．第３の実施の形態＞
次に、本発明の第３の実施の形態について説明する。第３の実施の形態は、ドアホンシステム８００を対象にしたものであり、テレビドアホン装置に加えて情報管理サーバを有する点で、第１の実施の形態と相違する。
【００６４】
そこで、以下では、この相違点を中心に説明する。なお、以下の説明において、第１の実施の形態の基板処理システムにおける構成要素と同様な構成要素については同一符号を付している。これら同一符号の構成要素は、第１の実施の形態において説明済みであるため、本実施形態では説明を省略する。
【００６５】
＜３．１．ドアホンシステムの構成＞
図８は、本実施の形態におけるドアホンシステム８００の全体構成の一例を示す図である。ドアホンシステム８００は、各テレビドアホン装置２００によって取得されたタグ情報に基づいて、家屋３の住人に受け渡される受渡対象物（例えば、回覧板や宅配物）の受渡状況を管理するシステムである。図８に示すように、ドアホンシステム８００は、主として、各々がネットワークに接続された複数のテレビドアホン装置２００と、受渡対象物の受渡状況を管理する情報管理サーバ３００と、を備えている。なお、紙面の都合上、図８には、２つのテレビドアホン装置１のみが記載されているが、テレビドアホン装置１の使用数は、３つ以上であってもよい。
【００６６】
＜３．２．テレビドアホン装置＞
図９は、本実施の形態の中継親機２１０のハードウェア構成の一例を示す図である。中継親機２１０は、第１の実施の形態の中継親機１０と同様に、（１）屋外情報を取得する機能と、（２）玄関子機４０、およびハンディ子機８０を流れるＬＡＮ側のデータをネットワーク５００側に中継するルータ機能と、を有している。
【００６７】
図９に示すように、中継親機２１０は、主として、通信制御部１５と、タグ情報判定部２１と、検索部２２と、応対処理部２６と、電子錠開閉処理部２７と、報知処理部２２３と、タグ情報生成部２２９と、を有している。
【００６８】
通信制御部１５は、中継親機２１０のルータ機能を実現する。すなわち、通信制御部１５は、子機間通信部１６ａと玄関子機４０との間で、無線通信部１６ｂとハンディ子機８０との間で、ネットワーク間通信部１６ｃとネットワーク５００側との間で、それぞれ実行されるデータ通信を制御する。また、通信制御部１５は、玄関子機４０が取得した屋外情報を中継して、情報管理サーバ３００（図１０参照）に送信する。
【００６９】
タグ情報判定部２１は、検索部２２の検索結果に基づいて、受渡対象物に付与されたタグ情報がタグ情報格納テーブル２１２ｄに登録されているか否かを判定する。
【００７０】
応答処理部２０は、主として、応対処理部２６と、電子錠開閉処理部２７と、報知処理部２２３と、を有している。これら各処理部２６、２７、２２３は、タグ情報判定部２１の判定結果に応じた応答処理を実行可能とされている。
【００７１】
報知処理部２２３は、タグ情報判定部２１の判定結果に応じて、受渡対象物の受渡状況を報知情報として情報管理サーバ３００に報知する。例えば、所定のタグ情報が付与された受渡対象物が家屋３の住人に受け渡された場合、中継親機２１０は、受渡済みである旨を報知情報として情報管理サーバ３００に送信する。
【００７２】
なお、受渡対象物に付与された所定のタグ情報が受信された場合、応対処理部２６による応答メッセージが再生されてもよいし、電子錠開閉処理部２７によってドア３ａの電子錠３ｃが開錠されてもよい。
【００７３】
タグ情報生成部２２９は、受渡対象物に付与されるタグ情報を生成可能とされている。なお、タグ情報生成部２２９で生成されたタグ情報は、格納処理部１４によってタグ情報格納テーブル２１２ｄに登録されてもよいし、ネットワーク５００を介して接続された情報管理サーバ３００に送信されてもよい。
【００７４】
＜３．３．情報管理サーバの構成＞
図１０は、情報管理サーバ３００のハードウェア構成の一例を示す図である。情報管理サーバ３００は、各テレビドアホン装置２００から送信された報知情報に基づいて、受渡対象物の受渡状況を管理する。情報管理サーバ３００は、いわゆるパーソナルコンピュータやワークステーションによって構成されている。図１０に示すように、情報管理サーバ３００は、主として、通信部３２５と、格納処理部３４１と、タグ情報生成部３５１と、を有している。
【００７５】
通信部３２５は、いわゆるネットワークカードであり、情報管理サーバ３００とネットワーク５００側との間でデータ通信を実行する。
【００７６】
表示部３３１は、液晶ディスプレイやＣＲＴ（Cathode Ray Tube）ディスプレイによって構成されている。操作部３３２は、いわゆるマウスやキーボードによって構成された入力部である。したがって、情報管理サーバ３００のオペレータは、表示部３３１の表示内容に基づいた入力作業を実行することにより、情報管理サーバ３００に所定の動作を実行させることができる。
【００７７】
タグ情報生成部３５１は、タグ情報生成部２２９と同様に、受渡対象物に付与されるタグ情報を生成可能とされている。なお、タグ情報生成部３５１で生成されたタグ情報は、格納処理部３４１によってタグ情報格納テーブル３１２ａに登録されてもよいし、ネットワーク５００を介して接続されたテレビドアホン装置２００に送信されてもよい。
【００７８】
ＲＡＭ３１２は、読み書き自在の揮発性メモリ（記憶部）である。ＲＯＭ３１３は、読出し専用メモリであり、ＣＰＵ３１１は、ＲＯＭ３１３に格納されたプログラム３１３ａに従った制御を実行する。また、ＣＰＵ３１１は、図１０に示すように、通信部３２５、格納処理部３４１、検索部３４２、およびタグ情報生成部３５１等と、信号線３１９を介して電気的に接続されている。したがって、ＣＰＵ３１１は、タグ情報の生成処理等を所定のタイミングで実行することができる。
【００７９】
＜３．４．本システムによる回覧システム＞
ここでは、ドアホンシステム８００によって構築可能な回覧システムについて説明する。この回覧システムでは、まず、例えば回覧元の情報管理サーバ３００によってタグ情報が生成され、回覧板にタグ情報が付与される。この生成されたタグ情報は、回覧先に設置された各テレビドアホン装置２００に送信される。そして、送信されたタグ情報は、各テレビドアホン装置２００のタグ情報格納テーブル２１２ｄに登録される。
【００８０】
続いて、回覧板が家屋３に回覧され、玄関子機４０のタグ情報受信部４６によって回覧板のタグ情報が読み取られると、報知処理部２２３は、報知情報として回覧済みである旨を情報管理サーバ３００に送信する。情報管理サーバ３００は、この報知情報を受信することによって、報知情報の送信元である家屋３に回覧板が回覧済みであることを認識する。なお、タグ情報は、テレビドアホン装置２００のタグ情報生成部２２９によって生成されてもよい。
【００８１】
＜３．５．本システムによる宅配システム＞
ここでは、ドアホンシステム８００によって構築可能な宅配システムについて説明する。宅配システムでは、まず、宅配業者に設置された情報管理サーバ３００から、荷物の宅配先に設置されたテレビドアホン装置２００に、配送要求信号が送信される。
【００８２】
配送要求信号を受信した家屋３の住人は、配送希望時間と、タグ情報生成部２２９で生成されたタグ情報と、を情報管理サーバ３００に送信する。そして、情報管理サーバ３００は、受信したタグ情報を荷物に付与する。
【００８３】
続いて、配送業者によって荷物が配送され、玄関子機４０のタグ情報受信部４６によって荷物のタグ情報が読み取られると、テレビドアホン装置２００のハンディ子機８０には、配送業者によって荷物が届けられた旨の表示がされる。これにより、家屋３の住人は、訪問者に応対することなく荷物が届けられたことを把握することができる。
【００８４】
そして、荷物が受領されると、テレビドアホン装置２００の報知処理部２２３は、受領済みである旨の報知情報を情報管理サーバ３００に送信する。情報管理サーバ３００は、この報知情報を受信することによって、報知情報の送信元である家屋３で荷物が受領されたことを認識する。なお、タグ情報は、情報管理サーバ３００のタグ情報生成部３５１によって生成されてもよい。
【００８５】
一方、家屋３が留守の場合、テレビドアホン装置２００の応対処理部２６は、留守である旨の応答メッセージを再生する。
【００８６】
＜３．６．第３の実施の形態におけるドアホンシステムの利点＞
以上のように、第３の実施の形態のドアホンシステム８００によれば、情報管理サーバ３００側では、テレビドアホン装置２００から報知される報知情報により、受渡対象物の受渡状況を容易に把握することができる。また、家屋３の住人は、訪問者に応対することなく受渡対象物が届けられたことを把握することができる。そのため、テレビドアホン装置２００の機能をさらに高度化できるとともに、テレビドアホン装置２００のセキュリティ機能を強化することができる。
【００８７】
＜４．第４の実施の形態＞
次に、本発明の第４の実施の形態について説明する。地域監視システム９００は、複数のテレビドアホン装置１が設置された地域内において、各テレビドアホン装置１を使用して構築される防犯システムである。
【００８８】
ここで、第４の実施の形態の地域監視システム９００は、第３の実施の形態のシステムと比較して、情報管理サーバのハードウェア構成およびＲＡＭに記憶される情報が相違する点を除いては、第３の実施の形態と同様である。そこで、以下では、この相違点を中心に説明する。
【００８９】
なお、以下の説明において、第３の実施の形態の基板処理システムにおける構成要素と同様な構成要素については同一符号を付している。これら同一符号の構成要素は、第３の実施の形態において説明済みであるため、本実施形態では説明を省略する。
【００９０】
＜４．１．情報管理サーバの構成＞
図１１は、本実施の形態の情報管理サーバ４００のハードウェア構成の一例を示す図である。情報管理サーバ４００は、タグ情報所有者のタグ情報送信部９ａから送信されたタグ情報を蓄積するデータサーバであり、いわゆるパーソナルコンピュータやワークステーションによって構成されている。また、情報管理サーバ４００は、タグ情報履歴格納テーブル４１２ａに登録されたタグ情報に基づいて、複数のテレビドアホン装置１が設置された地域内におけるタグ情報所有者の状況を監視する。図１１に示すように、情報管理サーバ４００は、主として、格納処理部３４１と、追跡処理部４５１と、報知処理部４５２と、を有している。
【００９１】
格納処理部３４１は、各テレビドアホン装置１から送信されたタグ情報を、ＲＡＭ４１２に格納する。ＲＡＭ４１２は、読み書き自在の揮発性メモリ（記憶部）である。図１１に示すように、ＲＡＭ４１２は、地域情報格納部４１２ｃを有する。また。ＲＡＭ４１２には、タグ情報履歴格納テーブル４１２ａと、通知先情報格納テーブル４１２ｂと、が記憶可能とされている。
【００９２】
ここで、地域情報格納部４１２ｃには、地域範囲を示す位置情報（緯度範囲、および経度範囲）と、地域範囲を示す地図画像と、が格納されている。
【００９３】
また、タグ情報履歴格納テーブル４１２ａには、各テレビドアホン装置１から送信されたタグ情報が、送信元のテレビドアホン装置１の位置情報と対応付けられて追加格納される。図１２は、タグ情報履歴格納テーブル４１２ａのデータ構成の一例を示す図である。図１２に示すように、タグ情報履歴格納テーブル４１２ａは、主として、「情報履歴ＩＤ」、「タグ情報」、「取得日時」、「位置情報（緯度）」、および「位置情報（経度）」の各フィールドを有している。
【００９４】
「情報履歴ＩＤ」には、タグ情報履歴格納テーブル４１２ａに登録された各レコードを一意に識別するための数値データが格納されている。「タグ情報」には、各テレビドアホン装置１のタグ情報受信部４６によって取得されたタグ情報が数値データとして格納されている。「取得日時」には、各テレビドアホン装置１から送信されたタグ情報の取得日時が数値データとして格納されている。「位置情報（緯度）」および「位置情報（経度）」には、静止画像を撮影した撮像部（例えば、撮像部４１、７１）の位置情報が数値データとして格納されている。
【００９５】
また、通知先情報格納テーブル４１２ｂには、所定のタグ情報がタグ情報履歴格納テーブル４１２ａに格納された場合において、その旨を通知する宛先（通知先情報）が格納されている。図１３は、通知先情報格納テーブル４１２ｂのデータ構成の一例を示す図である。図１３に示すように、通知先情報格納テーブル４１２ｂは、主として、「通知先ＩＤ」、「タグ情報」、および「通知先情報」の各フィールドを有している。
【００９６】
「通知先ＩＤ」には、通知先情報格納テーブル４１２ｂに登録された各レコードを一意に識別するための数値データが格納されている。また、「タグ情報」には、報知処理部４５２による報知処理を希望するタグ情報が数値データとして格納されている。また、「通知先情報」には、通知先を示す情報（例えば、通知先となる中継親機２１０のＩＰアドレスや、中継親機２１０のメールアドレス等）が格納されている。
【００９７】
なお、通知先情報格納テーブル４１２ｂに追加格納されるタグ情報および通知先情報は、ハンディ子機８０によって指定されてもよいし、ネットワーク５００に接続可能な携帯電話やパーソナルコンピュータによって指定されていもよい。また、通知先としては、中継親機２１０だけでなく、ネットワーク５００に接続された携帯電話やパーソナルコンピュータであってもよい。
【００９８】
検索部３４２は、タグ情報履歴格納テーブル４１２ａを検索して、検索結果に基づいたタグ情報を取得する。例えば、検索部３４２は、「タグ情報」フィールドを検索キーとしてタグ情報履歴格納テーブル４１２ａを検索する。これにより、検索部３４２は、「タグ情報」が所定値となるレコードをタグ情報履歴格納テーブル４１２ａから抽出することができる。
【００９９】
追跡処理部４５１は、タグ情報所有者のタグ情報と同一の値となるレコードをタグ情報履歴格納テーブル４１２ａから抽出することにより、地域内におけるタグ情報所有者の位置を追跡する。
【０１００】
報知処理部４５２は、特定人に関する情報を、複数のテレビドアホン装置１のうち対応するテレビドアホン装置１に報知する。例えば、使用者が、予め自分の子供のタグ情報と、通知先として自宅の中継親機２１０と、を通知先情報格納テーブル４１２ｂに登録している場合、報知処理部４５２は、自分の子供に関する情報を特定人に関する情報として、この使用者の中継親機２１０に報知する。
【０１０１】
ＲＯＭ３１３は、読出し専用メモリであり、ＣＰＵ３１１は、ＲＯＭ３１３に格納されたプログラム３１３ａに従った制御を実行する。また、ＣＰＵ３１１は、図１１に示すように、通信部３２５、格納処理部３４１、ＲＡＭ４１２、追跡処理部４５１、および報知処理部４５２等と、信号線３１９を介して電気的に接続されている。したがって、ＣＰＵ３１１は、屋外情報の格納処理等を所定のタイミングで実行することができる。
【０１０２】
＜４．２．情報管理サーバによ地域内の監視処理＞
ここでは、情報管理サーバ４００による特定のタグ情報所有者の監視処理について説明する。なお、図１４に示すように、地域内にテレビドアホン装置１（１ａ〜１ｃ）が設置されている場合、地域内を移動する人９から送信されるタグ情報は、各テレビドアホン装置１によって受信される。そして、受信されたタグ情報は、情報管理サーバ４００に送信され、ＲＡＭ４１２のタグ情報履歴格納テーブル４１２ａに追加格納される。
【０１０３】
特定のタグ情報所有者の監視処理において、情報管理サーバ４００の検索部３４２は、例えば所定時間毎に、タグ情報履歴格納テーブル４１２ａを検索し、特定のタグ情報（例えば、通知先情報格納テーブル４１２ｂに含まれる「タグ情報」）を有するレコードが追加されたか否かを監視する。すなわち、検索部３４２は、タグ情報履歴格納テーブル４１２ａに含まれるレコードから特定のタグ情報を有するレコードを検索する。
【０１０４】
そして、タグ情報履歴格納テーブル４１２ａに含まれるレコードから特定のタグ情報が抽出された場合、報知処理部４５２は、特定人に関する情報としてタグ情報所有者に関する情報（例えば、タグ情報所有者が地域内で検出された旨、およびタグ情報所有者の位置情報等）を、例えば通知先情報によって指定されるテレビドアホン装置１に通知する。これにより、通知先とされたテレビドアホン装置１の使用者は、地域内におけるタグ情報所有者（例えば、使用者の子供）の状況を容易に把握することが可能となる。
【０１０５】
＜５．変形例＞
以上、本発明の実施の形態について説明してきたが、本発明は上記実施の形態に限定されるものではなく様々な変形が可能である。
【０１０６】
第１ないし第４の実施の形態において、テレビドアホン装置１、１００、２００は、家屋３の外部に設置されているものとして説明したが、テレビドアホン装置１、１００、テレビドアホン装置２００の設置場所は、これに限定されない。例えば、マンションなどの集合住宅の出入り口に設置されてもよいし、工場の出入口に設置されてもよい。この場合、例えばマンションの場合には居住者が、工場の場合には従業者や取引業者等が、それぞれ特定訪問者に該当する。
【符号の説明】
【０１０７】
１（１ａ〜１ｃ）、１００、２００  テレビドアホン装置
３  家屋
３ｃ  電子錠
５  道路
９ａ  タグ情報送信部
１０、１１０、２１０  中継親機
１２ｄ、３１２ａ  タグ情報格納テーブル
１２ｅ  訪問者履歴格納テーブル
２０  応答処理部
２１  タグ情報判定部
２２、３４２  検索部
２６  応対処理部
２７  電子錠開閉処理部
４０  玄関子機
４１  撮像部
４２  受音部
４６  タグ情報受信部
５１  スピーカ
８０  ハンディ子機
８７  表示部
８８  操作部
１２８  生体認証情報判定部
２２３  報知処理部
２２９、３５１  タグ情報生成部
３００、４００  情報管理サーバ
３２５  通信部
４１２ａ  タグ情報履歴格納テーブル
４１２ｂ  通知先情報格納テーブル
４５１  追跡処理部
４５２  報知処理部
５００  ネットワーク
８００  ドアホンシステム
９００  地域監視システム
【図１】
2011223629.tif 000003
【図２】
2011223629.tif 000004
【図３】
2011223629.tif 000005
【図４】
2011223629.tif 000006
【図５】
2011223629.tif 000007
【図６】
2011223629.tif 000008
【図７】
2011223629.tif 000009
【図８】
2011223629.tif 000010
【図９】
2011223629.tif 000011
【図１０】
2011223629.tif 000012
【図１１】
2011223629.tif 000013
【図１２】
2011223629.tif 000014
【図１３】
2011223629.tif 000015
【図１４】
2011223629.tif 000016